(57)【要約】      （修正有）【課題】紐のほかに回転力をかける手段を持つ遊びやすいこま玩具を提供する。【解決手段】上面と下面とを有している円板状の板体３と、板体の下面から下方へ先端４１が尖るように突出し、且つ板体の中心を垂直に通過する直線を軸線として略円錐状に形成された本体４と、を備える。また、板体の中心部に、板体と同軸であり、且つ板体における上面に円形開口を有する凹陥部３３が、上面側から下面側へと窪むように形成されれている。【選択図】図２
0003171644.tif 000002
【実用新案登録請求の範囲】
【請求項１】
上面と下面とを有している円板状の板体と、
前記板体の前記下面から下方へ先端が尖るように突出し、且つ前記板体の中心を垂直に通過する直線を軸線として略円錐状に形成された本体と、を備え、
また、前記板体の中心部には、前記板体と同軸であり、且つ前記板体における上面に円形開口を有する凹陥部が、前記上面側から前記下面側へと窪むように形成されていることを特徴とするこま玩具。
【請求項２】
前記凹陥部は、
前記円形開口に面し、面積が前記円形開口より小さい円形の底面と、
前記底面の周縁から上方へ段々と開口するように延伸し、該延伸面が水平面に対し第１の勾配となっている第１の円環状斜面と、
前記第１の円環状斜面の外周縁に続いて更に上方へ、より大きな開口角度で延伸し、該延伸面の水平面に対する勾配が、前記第１の勾配より小さい第２の勾配となっている第２の円環状斜面と、を有するように形成されていることを特徴とする請求項１に記載のこま玩具。
【請求項３】
前記第２の円環状斜面における外周の直径は、前記本体が前記板体と接続されている付け根の直径より長くなっていることを特徴とする請求項２に記載のこま玩具。
【請求項４】
前記本体は、前記板体から取り外せるように前記板体に取り付けられており、
前記板体は、前記本体と接続することができる基部と、前記基部から張り出している張出し部と、を有していることを特徴とする請求項１〜請求項３のいずれか一項に記載のこま玩具。
【請求項５】
前記基部の前記下面側における中心部には、雄ネジ付きの係止突起が形成されており、
前記基部に面する前記本体の端面の中心部には、前記係止突起を受けて係止することができる雌ネジ付きの係止孔が形成されていることを特徴とする請求項４に記載のこま玩具。
【請求項６】
前記基部に面する前記本体の端面の中心部には、雄ネジ付きの係止突起が形成されており、
前記基部の前記下面側における中心部には、前記係止突起を受けて係止することができる雌ネジ付きの係止孔が形成されていることを特徴とする請求項４に記載のこま玩具。
【請求項７】
前記基部の前記軸線と平行な方向における厚さが、前記張出し部の同方向における厚さより厚くなっていることを特徴とする請求項４〜請求項６のいずれか一項に記載のこま玩具。
【請求項８】
前記本体の略円錐状になっている周面には、
前記本体の前記先端から前記板体と接続している付け根まで延伸するようにらせん状に形成されたらせん溝と、
前記先端から前記らせん溝を複数回横断するように延伸し、且つ深さが前記らせん溝より深く切り込んである紐収納溝と、
があることを特徴とする請求項１〜請求項７のいずれか一項に記載のこま玩具。
【請求項９】
前記凹陥部における前記底面の中心部には、ネジ孔が凹設されており、
更に、前記ネジ孔に螺合することによって取り付けられる装飾ユニットを有することを特徴とする請求項２または請求項３に記載のこま玩具。
【請求項１０】
発光手段と、
前記発光手段に電気を供給する電源手段と、を更に備えていることを特徴とする請求項１〜請求項９のいずれか一項に記載のこま玩具。
【請求項１１】
前記電源手段は、前記本体内に配置されていることを特徴とする請求項１０に記載のこま玩具。
【請求項１２】
前記電源手段は、前記板体の前記上面、または前記下面に配置されていることを特徴とする請求項１０に記載のこま玩具。
【請求項１３】
前記発光手段は、前記板体の前記上面、または前記板体の前記軸線を周回する周面に配置されていることを特徴とする請求項１０〜請求項１２のいずれか一項に記載のこま玩具。
【請求項１４】
前記発光手段は、前記本体の略円錐状になっている周面に配置されていることを特徴とする請求項１０〜請求項１２のいずれか一項に記載のこま玩具。
【請求項１５】
前記発光手段は、発光ダイオードモジュールを有することを特徴とする請求項１０〜請求項１３のいずれか一項に記載のこま玩具。
【請求項１６】
前記発光手段は、光ファイバーを有することを特徴とする請求項１０〜請求項１２、または請求項１４のいずれか一項に記載のこま玩具。
【考案の詳細な説明】
【技術分野】
【０００１】
本考案はこま玩具に関し、特に、幼い子どもも簡単に遊べるこま玩具に関する。
【背景技術】
【０００２】
こま玩具は、古くから人気がある伝統的な玩具である。
【０００３】
従来のこま玩具１は、例えば図１に示されている構成例のように、本体１１が中実で上下両端共に略円錐状になっており、本体１１の下端における中心には回転ピン１２が突出している。このようなこま玩具１の遊び方は、本体１１の周面に紐１３を下方から上方へと何周も巻き付けておいてから、紐１３の端部１３１を指（例えば小指と薬指と）に仮固定しながら本体１１を（例えば親指と人差し指と中指とで）掴む姿勢でこま玩具１を投げ出すと同時に、紐１３を反対方向へ引いてこま玩具１に回転力をかけ、こま玩具１が着地して回転ピン１２を中心に地上で回転する様子を鑑賞したり、回り続ける時間の長さを競ったりして楽しむものである。
【考案の概要】
【考案が解決しようとする課題】
【０００４】
しかし、上記従来のこま玩具では、紐のほかに回転力をかける手段はないので、こま玩具を上手に回転させられるかどうかは、ほぼすべて紐を引くうまさに係っており、子どもにとっては難しすぎることもある。
【０００５】
上記問題点に鑑みて、本考案は、紐のほかにも回転力をかける手段を持つ遊びやすいこま玩具の提供を目的とする。
【課題を解決するための手段】
【０００６】
上記目的を達成すべく、本考案は、上面と下面とを有している円板状の板体と、前記板体の前記下面から下方へ先端が尖るように突出し、且つ前記板体の中心を垂直に通過する直線を軸線として略円錐状に形成された本体と、を備え、また、前記板体の中心部に、前記板体と同軸であり、且つ前記板体における上面に円形開口を有する凹陥部が、前記上面側から前記下面側へと窪むようになっていることを特徴とするこま玩具を提案する。この構成により、本考案のこま玩具は円板状の板体を更に備えているので、遊ぶ際には、紐の端部を指に仮固定しながら板体部分の周縁近くを掴む姿勢でこま玩具を投げ出すことができるので、こま玩具を投げ出す時、従来のように紐を反対方向へ引くことでこま玩具に回転力をかけることができるだけでなく、板体部分の周縁近くを掴む指で、フリスビーを投げる要領で該こま玩具に更なる回転力をかけることもできる。
【０００７】
上記こま玩具において、前記凹陥部は、前記円形開口に面し、面積が前記円形開口より小さい円形の底面と、前記底面の周縁から上方へ段々と開口するように延伸し、該延伸面が水平面に対し第１の勾配となっている第１の円環状斜面と、前記第１の円環状斜面の外周縁に続いて更に上方へ、より大きな開口角度で延伸し、該延伸面の水平面に対する勾配が、前記第１の勾配より小さい第２の勾配となっている第２の円環状斜面と、を有するように形成されていることが好ましい。この構成により、本考案のこま玩具は、すでに地上で回っている１つのこま玩具における凹陥部の円形底面に、もう１つのこま玩具を入れて回すことができる。ここで、前記もう１つのこま玩具を前記すでに地上で回っているこま玩具における凹陥部の円形底面にうまく入れることができなくても、前記もう１つのこま玩具が、前記すでに地上で回っているこま玩具の前記第１の円環状斜面または第２の円環状斜面に投げられた場合、この第１の円環状斜面及び第２の円環状斜面の斜面構成によって、前記もう１つのこま玩具を前記円形底面へスムーズに案内することができる。前記もう１つのこま玩具を円形底面へ案内する円環状斜面を、あえて前記第１の円環状斜面と前記第２の円環状斜面との２通りの勾配に分けて構成するのは、急激な勾配が前記もう１つのこま玩具の回転を妨げることを避けるためである。
【０００８】
上記こま玩具において、前記第２の円環状斜面における外周の直径が、前記本体が前記板体と接続されている付け根の直径より長くなるように構成することができる。
【０００９】
この構成により、前記第２の円環状斜面における面積を確保し、前記第２の円環状斜面で回転する前記もう一つのこま玩具が前記第２の円環状斜面で回転する時間を延ばすことで、該もう一つのこま玩具の前記第２の円環状斜面から前記第１の円環状斜面への案内をより順調にすることができる。
【００１０】
上記こま玩具において、前記本体は、前記板体から取り外せるように前記板体に取り付けられており、前記板体は、前記本体と接続することができる基部と、前記基部から張り出している張出し部と、を有するように構成することが好ましい。
【００１１】
この構成により、本考案のこま玩具は板体を外して従来のこま玩具と同じように遊ぶこともできる上、収納の利便性も向上する。
【００１２】
上記こま玩具において、前記基部の前記下面側における中心部には、雄ネジ付きの係止突起が形成されており、前記基部に面する前記本体の端面の中心部には、前記係止突起を受けて係止することができる雌ネジ付きの係止孔が形成されるように構成することができる。
【００１３】
また、本考案のこま玩具は、前記基部に面する前記本体の端面の中心部に、雄ネジ付きの係止突起が形成されており、前記基部の前記下面側における中心部に、前記係止突起を受けて係止することができる雌ネジ付きの係止孔が形成されるように構成することもできる。
【００１４】
この２通りの構成により、本考案のこま玩具における前記板体と前記本体とは、雄ネジと雌ネジとの螺合により確実に結合することができる。
【００１５】
上記こま玩具において、前記本体の略円錐状になっている周面には、前記本体の前記先端から前記板体と接続している付け根まで延伸するようにらせん状に形成されたらせん溝と、前記先端から前記らせん溝を複数回横断するように延伸し、且つ深さが前記らせん溝より深く切り込んでいる紐収納溝と、があることが好ましい。
【００１６】
この構成により、本考案のこま玩具は紐を回す溝を確保して紐の巻き付けをしやすくすることができる。
【００１７】
上記こま玩具において、前記凹陥部における前記底面の中心部には、ネジ孔が凹設されており、更に、前記ネジ孔に螺合することによって取り付けられる装飾ユニットを更に有することができる。
【００１８】
また、上記こま玩具において、発光手段と、前記発光手段に電気を供給する電源手段と、を更に備えることが好ましい。
【００１９】
前記電源手段は、前記本体内に配置されても良く、前記板体の前記上面、または前記下面に配置されても良い。
【００２０】
前記発光手段は、前記板体の前記上面、または前記板体の前記軸線を周回する周面に配置されることができる。
【００２１】
また、前記発光手段は、前記本体の略円錐状になっている周面に配置されることもできる。
【００２２】
前記板体に配置される前記発光手段は、発光ダイオードモジュールを有することが好ましい。
【００２３】
前記本体の略円錐状になっている周面に配置される前記発光手段は、光ファイバーを有することが好ましい。
【００２４】
上記のように、本考案のこま玩具は、様々な装飾をつけることが可能である。
【考案の効果】
【００２５】
上記構成により、本考案のこま玩具は、本体の上端に板体を更に備えているので、紐のほかに回転力をかける手段を持ち、伝統的なこま玩具より遊びやすくなっている。
【図面の簡単な説明】
【００２６】
【図１】従来のこま玩具の構成が示されている斜視図である。
【図２】本考案の第１の好ましい実施形態のこま玩具の構成が示されている斜視図である。
【図３】本考案の第１の好ましい実施形態のこま玩具の構成が示されている一部断面図である。
【図４】本考案の第１の好ましい実施形態のこま玩具の遊び方が示されている説明図である。
【図５】本考案の第１の好ましい実施形態のこま玩具の遊び方が示されている説明図である。
【図６】本考案の第１の好ましい実施形態のこま玩具の遊び方が示されている説明図である。
【図７】本考案の第２の好ましい実施形態のこま玩具の構成が示されている一部断面図である。
【図８】本考案の第３の好ましい実施形態のこま玩具の構成が示されている一部断面図である。
【図９】本考案の第４の好ましい実施形態のこま玩具の構成が示されている側面図である。
【図１０】本考案の第５の好ましい実施形態のこま玩具の構成が示されている側面図である。
【図１１】本考案の第５の好ましい実施形態のこま玩具の構成が示されている分解図である。
【図１２】本考案の第５の好ましい実施形態の変形例の構成が示されている分解図である。
【考案を実施するための形態】
【００２７】
以下は各図面を参照しながら、本考案の各好ましい実施形態について詳しく説明する。
【００２８】
図２〜図６では本考案のこま玩具の第１の実施形態が示されており、図２は該こま玩具の斜視図であり、図３は該こま玩具の構成が示されている一部断面図であり、図４〜図６は該こま玩具の遊び方が示されている説明図である。
【００２９】
図２、図３に示されているように、本考案の第１の実施形態のこま玩具２は、上面３０１と下面３０２とを有している円板状の板体３と、板体３の下面３０２から下方へ先端４１が尖るように突出し、且つ板体３の中心を垂直に通過する直線を軸線Ｌとして略円錐状に形成された本体４と、を備えてなるものである。
【００３０】
板体３の中心部には、該板体３と同軸であり、且つ板体３における上面３０１に円形開口３３０を有する凹陥部３３が、上面３０１側から下面３０２側へと窪むように形成されている。
【００３１】
本体４は、板体３から取り外せるように前記板体に取り付けられており、板体３は、本体４と接続することができる基部３１と、直線Ｌから離れるように基部３１から張り出している張出し部３２と、を有している。
【００３２】
凹陥部３３は、円形開口３３に面し、面積が円形開口３３より小さい円形底面３３１と、切頭円錐の内周面のように円形底面３３１の周縁から上方へ延伸すると共に、水平面に対して第１の勾配を成す第１の円環状斜面３３２と、切頭円錐の内周面のように第１の円環状斜面３３２の外周縁から上方へ延伸すると共に、水平面に対して前記第１の勾配より小さい第２の勾配を成す第２の円環状斜面３３３と、を有するように形成されている。
【００３３】
本体４の略円錐状になっている周面には、本体４の先端４１から板体３と接続している付け根４２まで何回も回ってらせん状に延伸するように形成されたらせん溝４３と、先端４１かららせん溝４３を複数回横断するように延伸し、且つ深さがらせん溝４３より深く切り込まれている紐収納溝４４と、が形成されている。
【００３４】
上記のように構成されたこの実施形態のこま玩具２は、まず図４に示されているように、紐９の設置端部９１を紐収納溝４４に設置してから、図５に示されているように紐９をらせん溝４３に沿って本体４の略円錐状になっている周面に何回も巻き付けてから、紐９の手持ち端部９２を指に仮固定しながら、板体３の張出し部３２を親指と人差し指との間に挟んでいる姿勢で、フリスビーを投げる要領でこま玩具２を投げ出すと共に紐９の手持ち端部９２を引くと、こま玩具２に十分な回転力を与えることができるので、こま玩具２が着地後バランスよく回り続けることになる。
【００３５】
更に、図６に示されているように、もう１つのこま玩具２’をすでに回っているこま玩具２の凹陥部３３に目がけて投げることによって、もう１つのこま玩具２’を凹陥部３３の円形底面３３１で回すことができる。
【００３６】
そして、円形底面３３１の周囲に第１の円環状斜面３３２と第２の円環状斜面３３３とが形成されたのは、すでに地上で回っている１つのこま玩具２における凹陥部３３の円形底面３３１に、もう１つのこま玩具２’を入れて回す時、前記もう１つのこま玩具２’を前記すでに地上で回っているこま玩具２の凹陥部３３の円形底面３３１にうまく入れることができなくても、前記もう１つのこま玩具２’を、前記すでに地上で回っているこま玩具２の第１の円環状斜面３３２または第２の円環状斜面３３３に投げた場合、この第１の円環状斜面３３２及び第２の円環状斜面３３３の斜面構成で、前記もう１つのこま玩具２’を円形底面３３１へスムーズに案内することができるからである。図７では本考案のこま玩具の第２の実施形態が示されており、図示のように、この第２の実施形態は第１の実施形態とほぼ同じ構成になっているので、以下はその相違点のみについて説明する。
【００３７】
この第２の実施形態のこま玩具において、凹陥部３３における第２の円環状斜面３３３の外周の直径は、本体４が板体３と接続している付け根４２の直径より長くなっており、即ち基部３１に該当する部分から張出し部３２に該当する部分まで延伸して第１の実施形態よりも広い面積を確保しているので、第２の円環状斜面３３３で回転する前記もう一つのこま玩具２’が第２の円環状斜面３３３で回転する時間を延ばすことで、該もう一つのこま玩具２’の第２の円環状斜面３３３から第１の円環状斜面３３２への案内をより順調にすることができる。
【００３８】
図８では本考案のこま玩具の第３の実施形態が示されており、図示のように、この第３の実施形態は第１の実施形態とほぼ同じ構成になっているので、以下はその相違点のみについて説明する。
【００３９】
この第３の実施形態のこま玩具は、サッカーボール状に形成された装飾ユニット５を有している。凹陥部３３における円形底面３３１の中心部には、ネジ孔３３４が凹設されており、装飾ユニット５は、ネジ孔３３４に螺合することができるネジ棒５１を有している。
【００４０】
この構成は、装飾ユニット５を本考案のこま玩具に飾り付けることが可能であることを示しており、無論、装飾ユニット５をサッカーボール以外の形状に形成することも可能である。
【００４１】
図９、図１０では本考案のこま玩具の第４、第５の実施形態が示されており、図示のように、この第４、第５の実施形態は第１の実施形態とほぼ同じ構成になっているので、以下はその相違点のみについて説明する。
【００４２】
本考案のこま玩具の第４、第５の実施形態では、発光手段６１と、発光手段６１に電気を供給する電源手段６２と、を更に備えている。
【００４３】
図９に示される第４の実施形態では、発光手段６１として発光ダイオードモジュールを使用し、板体３の軸線Ｌを周回する周面に配置されている。また、電源手段６２は、本体４の内部に配置されている。
【００４４】
ちなみに、発光手段６１の位置は板体３の周面に限らず、板体３の上面３０１に配置することも可能である。そして電源手段６２の位置も本体４の内部に限らず、板体３の上面３０１、または下面３０２に配置することも可能である。
【００４５】
電源手段６２は、例えば各種の電池などを使用することができる。
【００４６】
図１０に示される第５の実施形態では、発光手段６１に光ファイバーを使用し、本体４の略円錐状になっている周面に配置されている。
【００４７】
更に、この第５の実施形態は、図１１、図１２に示されているように構成することができる。
【００４８】
図１１、図１２では板体３と本体４とが簡単に分離／結合可能な構造が示されている。
【００４９】
図１１では板体３の基部３１の下面３０２側における中心部に、雄ネジ付きの係止突起３１１が形成されており、基部３１に面する本体４の端面４２０の中心部に、係止突起３１１を受けて係止することができる雌ネジ付きの係止孔４２１が形成されている。
【００５０】
図１２では基部３１に面する本体４の端面４２０の中心部に、雄ネジ付きの係止突起４２２が形成されており、基部３１の下面３０２側における中心部に、係止突起４２２を受けて係止することができる雌ネジ付きの係止孔３１２が形成されている。
【００５１】
また、この第５の実施形態では、基部３１に係止孔３１２が形成されているので、基部３１の軸線Ｌと平行な方向における厚さが、張出し部３１の同方向における厚さより厚く形成されている。
【産業上の利用可能性】
【００５２】
上記構成により、本考案のこま玩具は、本体の上端に板体を更に備えているので、紐のほかに回転力をかける手段を持ち、伝統的なこま玩具より遊びやすくなっているので、幼い子どもでも簡単に遊べるこま玩具を提供することができる。
【符号の説明】
【００５３】
２，２’  こま玩具                      ３  板体
３０１  上面                            ３０２  下面
３１  基部                              ３１１  係止突起
３１２  係止孔                          ３２  張出し部
３３  凹陥部                            ３３０  円形開口
３３１  円形底面                        ３３２  第１の円環状斜面
３３３  第２の円環状斜面                ３３４  ネジ孔
４  本体                                ４１  先端
４２  付け根                            ４２１  係止孔
４２２  係止突起                        ４３  らせん溝
４４  紐収納溝                          ５  装飾ユニット
５１  ネジ棒                            ６１  発光手段
６２  電源手段                          ９１  設置端部
９２  手持ち端部                        Ｌ  軸線
【図１】
0003171644.tif 000003
【図２】
0003171644.tif 000004
【図３】
0003171644.tif 000005
【図４】
0003171644.tif 000006
【図５】
0003171644.tif 000007
【図６】
0003171644.tif 000008
【図７】
0003171644.tif 000009
【図８】
0003171644.tif 000010
【図９】
0003171644.tif 000011
【図１０】
0003171644.tif 000012
【図１１】
0003171644.tif 000013
【図１２】
0003171644.tif 000014